(57)【要約】【課題】  回転羽根による広角前方への送風により、溶接時に発生するヒュームの吸い込みを防止すると共に、覗き窓の視界を確保可能な溶接用手持ちシールド面を提供する。【解決手段】  溶接用手持ちシールド面１０における前方覗き窓２１下位に広角前方へ送風可能な回転羽根２３を備えると共に、該回転羽根２３を回転するための電源部２４を所定箇所に備えて成り、回転羽根２３の回転により、該回転羽根２３の側方から取り込まれた空気が広角前方へ送風されることで、溶接時に発生するヒュームを遠方へ飛散させて該ヒュームの吸い込みを防止すると共に、覗き窓２１の視界を確保可能な手段を採る。【選択図】図１
0003225182.tif 000002
【実用新案登録請求の範囲】
【請求項１】
溶接用手持ちシールド面における前方覗き窓下位に広角前方へ送風可能な回転羽根を備えると共に、該回転羽根を回転するための電源部を所定箇所に備えて成り、
回転羽根の回転により、該回転羽根の側方から取り込まれた空気が広角前方へ送風されることで、溶接時に発生するヒュームを遠方へ飛散させて該ヒュームの吸い込みを防止すると共に、覗き窓の視界を確保可能なことを特徴とする溶接用手持ちシールド面。
【考案の詳細な説明】
【技術分野】
【０００１】  本考案は、回転羽根による広角前方への送風により、溶接時に発生するヒュームの吸い込みを防止すると共に、覗き窓の視界の確保を図る溶接用手持ちシールド面に関するものである。
【背景技術】
【０００２】  従来より、空気を前方に吹き出して溶接時に発生するヒュームの吸い込みを防止する溶接用手持ちシールド面が提供されている。【０００３】  しかしながら、従来における空気を吹き出すためのエア供給手段は、エアコンプレッサなどの外部機器を使用するものであり、エアホースの接続が必須となっていた。したがって、実際の作業では、エアホースが邪魔となり、つまずくおそれがあるなど、作業に不具合を生じるものであった。【０００４】  本出願人は、従来における溶接用手持ちシールド面が備える機能と形状に着目し、効果的に溶接ヒュームの吸い込みを防止すると共に、視界の確保が可能であって、さらには、作業者がより作業し易い溶接用手持ちシールド面を開発し、本考案の提案に至るものである。
【先行技術文献】
【特許文献】
【０００５】
【特許文献１】特許第６４２６２３６号公報
【考案の概要】
【考案が解決しようとする課題】
【０００６】  本考案は、回転羽根による広角前方への送風により、溶接時に発生するヒュームの吸い込みを防止すると共に、覗き窓の視界を確保可能な溶接用手持ちシールド面を提供することを課題とするものである。
【課題を解決するための手段】
【０００７】  上記課題を解決するため、本考案は、溶接用手持ちシールド面における前方覗き窓下位に広角前方へ送風可能な回転羽根を備えると共に、該回転羽根を回転するための電源部を所定箇所に備えて成る手段を採る。
【考案の効果】
【０００８】  本考案にかかる溶接用手持ちシールド面によれば、回転羽根の回転により、該回転羽根の側方から取り込まれた空気が広角前方へ送風されることで、溶接時に発生するヒュームを遠方へ飛散させて該ヒュームの吸い込みを防止すると共に、覗き窓の視界の確保及び作業者の作業容易性の確保を実現し得る、といった優れた効果を奏する。
【図面の簡単な説明】
【０００９】
【図１】本考案にかかる溶接用手持ちシールド面の実施形態を示す説明図である。
【図２】本考案にかかる溶接用手持ちシールド面の実施形態を示す説明図である。
【図３】本考案にかかる溶接用手持ちシールド面の実施形態を示す説明図である。
【考案を実施するため形態】
【００１０】  本考案にかかる溶接用手持ちシールド面１０は、前方覗き窓下位に広角前方へ送風可能な回転羽根を備えると共に、該回転羽根を回転するための電源部を所定箇所に備えたことを最大の特徴とする。
以下、本考案にかかる溶接用手持ちシールド面１０の実施形態を、図面に基づいて説明する。
【００１１】  尚、本考案にかかる溶接用手持ちシールド面１０は、以下に述べる実施形態に限定されるものではなく、本考案の技術的思想の範囲内、すなわち同一の作用効果を発揮できる形状や寸法等の範囲内で、適宜変更することができる。
【００１２】  図１乃至図３は、本考案にかかる溶接用手持ちシールド面１０の実施形態を示す説明図であり、図１は正面図、図２は側断面図、図３は使用状態説明図である。
本考案にかかる溶接用手持ちシールド面１０は、シールド面２０と、該シールド面２０の下方中央に突設する把持ハンドル２２と、で構成されている。
【００１３】  シールド面２０は、従来の溶接用手持ちシールド面と同様、顔面全体を保護する形状を有し、所定箇所には視界を確保しつつ目を保護する覗き窓２１が備えられ、また、下方中央には作業時に片手で把持可能な把持ハンドル２２が突設されて成る。
【００１４】  シールド面２０の前方における覗き窓２１の下位には、回転羽根２３が備えられている。該回転羽根２３は、後述する電源部２４からの電源供給を受け、モータ２３ａにより回転する。電源部２４とモータ２３ａとは電線２４ａで繋がっている。
【００１５】  電源部２４は、溶接用手持ちシールド面１０の所定箇所、すなわち、シールド面２０あるいは把持ハンドル２２の所定箇所に備えられる。該電源部２４が備えられる箇所としては、例えばシールド面２０の裏側や、図示の様に把持ハンドル２２内に内蔵させる態様が考え得る。
【００１６】  電源部２４の具体的構造について、特に限定はなく、例えば乾電池などの着脱可能な電源媒体をソケット等に嵌め込む態様や、外部電源から充電可能な充電池を内蔵する態様などが考え得る。
【００１７】  ところで、本考案にかかる溶接用手持ちシールド面１０には、電源部２４からの電源供給をＯＮ／ＯＦＦするためのスイッチ２５を備えることが好適であり、該スイッチ２５でＯＮ／ＯＦＦ切替操作を行うことで、必要に応じて回転羽根２３の回転のＯＮ／ＯＦＦを行うことが可能になる。
【００１８】  以上のとおり構成される本考案にかかる溶接用手持ちシールド面１０によれば、電源部２４からの電源供給を受けてモータ２３ａの回転と連動して回転羽根２３が回転することにより、該回転羽根２３の側方から取り込まれた空気Ａが広角前方へ送風されることで、溶接時に発生するヒュームＧを遠方へ飛散させることが可能であって、シールド面２０内側へのヒュームＧの吸い込みを防止すると共に、覗き窓２１の視界を確保することができ、さらには、作業者の作業容易性の実現が可能となる。
【００１９】  尚、図示の様に、回転羽根２３の前方に、拡散板３０を備える態様も有効である。該拡散板３０は、回転羽根２３の前方全体を被覆し得る略円盤状あるいは多角形板状であって、一乃至複数の支持フレーム３１を介してシールド面２０に所定間隔を空けて固定される。該拡散板３０を備えることで、回転羽根２３から送風される空気Ａが拡散板３０に突き当たって、側方周縁方向へ拡散して送風されることとなり、溶接箇所への送風を防止して溶接温度の適正化と不完全溶接の防止を図ることができる。
【産業上の利用可能性】
【００２０】  本考案にかかる溶接用手持ちシールド面１０は、回転羽根２３による広角前方への送風により、溶接時に発生するヒュームＧの吸い込みを防止すると共に、覗き窓２１の視界確保が可能であって、さらには、作業者の作業容易性を実現し得ることから、産業上の利用可能性は大であると思料する。
【符号の説明】
【００２１】１０    溶接用手持ちシールド面
２０    シールド面
２１    覗き窓
２２    把持ハンドル
２３    回転羽根
２３ａ  モータ
２４    電源部
２４ａ  電線
２５    スイッチ
３０    拡散板
３１    支持フレーム
Ａ    空気
Ｇ    ヒューム
【図１】
0003225182.tif 000003
【図２】
0003225182.tif 000004
【図３】
0003225182.tif 000005